(57)【要約】【課題】通常、レフィルの突出操作を行う場合には、親指などの腹部で前記ノック部の頂部を、ノックスプリングの弾撥力に抗して押圧する。しかし、そのノック部は、小さく、それ故に、レフィルの突出操作を行う際、ノック部が指の腹に食い込むような感じがして、違和感があるものとなっていしまっていた。【解決手段】軸筒の内部に筆記体を有し、その筆記体を押圧操作によって出没させた筆記具であって、前記押圧操作を行う押圧部材の表面に軟質部材を取り付けると共に、その軟質部材の前端部に係合部を形成し、その係合部を前記押圧部材の係合受部に係合させた筆記具の押圧部材。【選択図】  図２
2005022125.tif 000002
【特許請求の範囲】
【請求項１】
軸筒の内部に筆記体を有し、その筆記体を押圧操作によって出没させた筆記具であって、前記押圧操作を行う押圧部材の表面に軟質部材を取り付けると共に、その軟質部材の前端部に係合部を形成し、その係合部を前記押圧部材の係合受部に係合させたことを特徴とする筆記具の押圧部材。
【請求項２】
前記係合部を凹凸形状にすると共に、係合受部も同様な凹凸形状としたことを特徴とする請求項１記載の筆記具の押圧部材。
【請求項３】
前記軟質部材の天面に貫通孔を形成したことを特徴とする請求項１記載、或いは、請求項２に記載のの筆記具の押圧部材。
【発明の詳細な説明】
【０００１】
【発明の属する技術分野】
本発明は、軸筒の内部に筆記体を有し、その筆記体を押圧操作によって出没させた筆記具に関する。
【０００２】
【従来の技術】
１例として、ノック式ボールペンを挙げ説明する。軸筒内には、レフィルが摺動自在に挿入されており、そのフィルはノックスプリングにより後方に付勢されている。又、レフィルの後方には、カム機構を介してノック部が軸筒後端から突出した状態で配置されている。即ち、ノック部を押圧することにより、レフィルのボールペンチップが軸筒先端から突出するのである（特許文献１参照）。
【０００３】
【特許文献１】
特開２００３−１３６８８０号公報（段落００１６、並びに、図１など）。
【０００４】
【発明が解決しようとする課題】
通常、レフィルの突出操作を行う場合には、親指などの腹部で前記ノック部の頂部を、ノックスプリングの弾撥力に抗して押圧する。しかし、そのノック部は、小さく、それ故に、レフィルの突出操作を行う際、ノック部が指の腹に食い込むような感じがして、違和感があるものとなっていしまっていた。
【０００５】
【課題を解決するための手段】
本発明は、軸筒の内部に筆記体を有し、その筆記体を押圧操作によって出没させた筆記具であって、前記押圧操作を行う押圧部材の表面に軟質部材を取り付けると共に、その軟質部材の前端部に係合部を形成し、その係合部を前記押圧部材の係合受部に係合させたことを要旨とする。
【０００６】
【作用】
軟質部材の柔軟性が指への感触となる。
【０００７】
【実施例】
図１〜図７に本発明の第１例について説明する。リフィルを押圧操作によって出没させる、所謂、ノック式ボールペンである。軸筒１の内部には、コイルスプリングなどの弾撥部材２によって、常に後方に付勢されたリフィル３が前後動可能に挿着されている。そのリフィル３の後方には、カム部材や回転子、摺動子からなるカム機構４を介して押圧部材５が配置されている。その押圧部材５の上方部は、前記軸筒の後端から突出しており、その突出した部分には、シリコーンゴムやＮＢＲ、スチレン系やオレフィン系、ウレタン系、ポルエステル系などの熱可塑性エラストマーなどからなる軟質部材６が取り付けられている。
参照符号７は、前記軸筒１の把持する部分の設けられたゴム状部材からなるグリップであって、参照符号８は前記カム部材と一体成形されたクリップであるが、軸筒１と一体的に成型しても良い。
【０００８】
次ぎに、前記軟質部材６の押圧部材５への取り付け構造について説明する。押圧部材５の上部には、縮径部９が形成されており、その縮径部９には鍔部１０が形成されている。その鍔部１０には、上方に向けて縮径する円錐部１１が形成されており、その円錐部１１からは前記縮径部９よりも若干小径な筒状部１２が上方に向けて形成されている。又、前記縮径部９の下方には、押圧部材本体から延設形成された凸部１３が放射状に４箇所形成されているが、この形成数に限定されるものではない。そして、その凸部１３が形成されることによって、隣り合う凸部間には、凹部１４が形成される。
【０００９】
一方、押圧部材５に取り付けられる軟質部材６は、有底の筒状部材となっているが、その底部には貫通孔１５が形成されている。この貫通孔１５に前記押圧部材５の筒状部１２が嵌り込むが、筒状部１２の頂部は、貫通孔１５の中間部に位置している。つまり、押圧操作を行った際、指の腹が貫通孔１５に多少潜り込むが、筒状部１２の頂部には極力振れないようにしているのである。
又、軟質部材６の前端部には、凹部１６が放射状に４箇所形成されている。この凹部１６を形成することによって、その隣り合う凹部間には凸部１７が形成される。そして、この軟質部材５の凹部１６が前記押圧部材５の凸部１３に、軟質部材６の凸部１７が前記押圧部材５の凹部１４に係合し合うのである。これらの係合によって、軟質部材６の押圧部材５に対する相対的な回転が防止され、良好な押圧操作が可能となるのである。又、軟質部材６に貫通孔１５と凹部１６を形成することによって、その軟質部材６が押圧部材５から外れ、その軟質部材６を、万が一、飲み込んでしまったときには、貫通孔１５と凹部１６とから空気が流通し窒息死などを極力防止することができる。尚、本例における凹部１６は半円弧状（半楕円状）をなしているが、これに捕らわれず、例えば、コ型の凹部としても良い。
【００１０】
更に、その軟質部材６の内側には、前記鍔部１０の外径よりも若干小径の大径部１８が形成されているが、下方に向け縮径した円錐部１９も連続的に形成されている。そして、その大径部１８が前記押圧部材５の鍔部１０に係合することによって、軸線方向に対する脱落が防止されている。尚、軟質部材６を押圧部材５に取り付ける際には、押圧部材５に形成された円錐形状部１１によって案内・拡開され若干の圧入状態で容易に挿着することができるが、挿着後においては鍔部１０によって容易には脱落しないようになっている。
【００１１】
第２例を図８〜図９に示し説明する。押圧部材２０の上部には、前例と同様に凸部２１並びに、凹部２２、そして縮径部２３が形成されているが、その縮径部２３の外周面には螺旋突起２４が形成されている。所謂、雄螺子が形成されているのである。一方、軟質部材２５の内面には、前記螺旋突起に螺合する雌螺子２６が形成されている。そして、互いを螺合させることによって、互いの接触面積をより多くし、軟質部材の押圧部材に対する脱落防止効果を向上させているのである。尚、押圧部材に軟質部材を挿着にあたっては、軟質部材であるが故に、小径部の上端から若干の押圧力を付与し押し込むと容易に挿着する。参照符号２７は、前記押圧部材２０の凸部２１と係合する凹部であって、参照符号２８は押圧部材２０の凹部２２に係合する突部である。
【００１２】
【発明の効果】
本発明は、軸筒の内部に筆記体を有し、その筆記体を押圧操作によって出没させた筆記具であって、前記押圧操作を行う押圧部材の表面に軟質部材を取り付けると共に、その軟質部材の前端部に係合部を形成し、その係合部を前記押圧部材の係合受部に係合させたので、違和感なく押圧操作を行うことができる。
【図面の簡単な説明】
【図１】本発明の第１例を示す外観図。
【図２】押圧部材を示す縦半断面図。
【図３】図２の上面図。
【図４】軟質部材を示す縦断面図。
【図５】図４の上方外観斜視図。
【図６】図４の下方外観斜視図。
【図７】第２例を示す押圧部材の縦半断面図。
【図８】図７の上面図。
【図９】第２例の軟質部材を示す縦断面図。
【符号の説明】
１    軸筒
２    後軸
３    リフィル（筆記体）
４    カム機構
５    押圧部材
６    軟質部材
９    スリット
１３  凸部
１４  凹部
１６  凹部
１７  凸部
２１  凸部
２２  凹部
２７  凹部
２８  凸部
【図１】
2005022125.tif 000003
【図２】
2005022125.tif 000004
【図３】
2005022125.tif 000005
【図４】
2005022125.tif 000006
【図５】
2005022125.tif 000007
【図６】
2005022125.tif 000008
【図７】
2005022125.tif 000009
【図８】
2005022125.tif 000010
【図９】
2005022125.tif 000011